(57)【要約】【課題】扇風機の首振り時の電線部の更なる耐久性向上を目的とする。【解決手段】基台２と、この基台２から伸びた支柱部３と、この支柱部３に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた電線部５７を備え、この電線部５７を上下方向に回動する回動中心の近傍を経由するように伸ばしたものであり、電線部の更なる耐久性を向上させることが出来るものである。【選択図】図１５
2015169123.tif 000002
【特許請求の範囲】
【請求項１】
基台と、前記基台から伸びた支柱部と、前記支柱部に左右方向に回動自在に設けられたモータホルダーと、
前記モータホルダーを左右方向に回動させる左右首振り手段と、前記モータホルダーに上下方向へ回動自在に設けられたモータ部と、前記モータ部を上下方向に回動させる上下首振り手段と、前記モータ部から前面側へ伸びた駆動軸に固定された羽根部と、前記モータ部に固定された制御部と、前記制御部から前記左右首振り手段へ伸びる電線部とからなり、前記電線部は、前記制御部から前記モータ部が上下方向に回動する回動中心部の近傍を経由して前記左右首振り手段まで伸びることを特徴とする扇風機。
【請求項２】
前記制御部から前記左右首振り回動手段へ伸びる前記電線部は、前記電線部が通る空間の壁面に沿うことができる長さを有することを特徴とする前記請求項１に記載の扇風機。
【請求項３】
前記制御部から前記左右首振り回転手段へ伸びる前記電線部は、前記制御部から出た直後は前記左右首振り手段の方向の逆方向へ向かい、前記左右首振り手段から前記制御部へ伸びる電線部は、前記左右首振り手段から出た直後は前記制御部の方向の逆方向へ向かうように延びることを特徴とする前記請求項１または前記請求項２に記載の扇風機。
【請求項４】
前記モータホルダーは、水平面を有する平板形状のプレートと、前記プレートの左右辺部から上方へ伸びたＵ字体とを有し、前記Ｕ字体に前記モータ部が上下方向に回動する前記回動中心部を備え、前記左右首振り手段は、前記プレートの背面側上面に固定されたステッピングモータと、このステッピングモータによって回転するクランクと、このクランクに装着したリンクとを備え、前記電線部は、前記制御部の左右方向の一方側上部から前記モータ部に沿うように下方へ前記プレートの上面まで伸び、そこから前記プレートの上面に沿うように前記ステッピングモータまで伸びることを特徴とする請求項１から３のいずれかに記載の扇風機。
【請求項５】
前記電線部は、前記制御部の左右方向の一方側上部から前記モータ部であるモータに沿うように下方へ伸び、更に下方へ前記モータと前記プレートとの間を通り、前記プレートの左右方向の他方側の上面まで伸び、そこから前記プレートの左右方向の他方側の上面に沿うように前記ステッピングモータまで伸びることを特徴とする請求項４に記載の扇風機。
【請求項６】
前記制御部は前記モータ部の背面側に固定され、前記電線部は、前記制御部から前面側の前記回動中心部の近傍へ押し当てるように伸びる構成としたことを特徴とする請求項４または請求項５に記載の扇風機。
【発明の詳細な説明】
【技術分野】
【０００１】
本発明は、首振り機能を有する扇風機に関するものである。
【背景技術】
【０００２】
従来、この種の扇風機は、基台と、この基台から伸びた支柱部と、この支柱部に設けられた左右首振り手段と、この左右首振り手段の上方に備えた送風手段と、この送風手段の背面側に設けた上下首振り手段とからなり、この上下首振り手段は、送風手段を上下方向に回動し、前記左右首振り手段は、前記上下首振り手段と前記送風手段とを左右方向に回動し、前記左右首振り手段から前記送風手段に伸びた直線状の電線部を備えた構成となっていた。（例えば、特許文献１参照）。
【先行技術文献】
【特許文献】
【０００３】
【特許文献１】特開平０３−１９４１９９号公報
【発明の概要】
【発明が解決しようとする課題】
【０００４】
上記従来例における課題は、電線部の耐久性を更に向上させることであった。
【０００５】
すなわち、従来の物においては、左右首振り手段から送風手段に伸びた直線状の電線部を弛ませて、送風手段の上下方向回動時に、電線部が曲がったり伸びたり、つまり、電線部の一部が移動することにより、送風手段の上下方向の距離の変化に対応していた。
【０００６】
その結果として、電線部を弛ませる長さが短いと、送風手段の上下方向回動に伴う電線部の移動距離が長くなり、屈曲や磨耗による電線部の耐久性が低下するものであった。
【０００７】
そこで本発明は、電線部の更なる耐久性の向上を図ることを目的とするものである。
【課題を解決するための手段】
【０００８】
そして、この目的を達成するために、本発明は、基台と、前記基台から伸びた支柱部と、前記支柱部に左右方向に回動自在に設けられたモータホルダーと、前記モータホルダーを左右方向に回動させる左右首振り手段と、前記モータホルダーに上下方向へ回動自在に設けられたモータ部と、前記モータ部を上下方向に回動させる上下首振り手段と、前記モータ部から前面側へ伸びた駆動軸に固定された羽根部と、前記モータ部に固定された制御部と、前記制御部から前記左右首振り手段へ伸びる電線部とからなり、前記電線部は、前記制御部から前記モータ部が上下方向に回動する回動中心部の近傍を経由して前記左右首振り手段まで伸びることを特徴としたものであり、これにより、所期の目的を達成するものである。
【発明の効果】
【０００９】
本発明によれば、基台と、前記基台から伸びた支柱部と、前記支柱部に左右方向に回動自在に設けられたモータホルダーと、前記モータホルダーを左右方向に回動させる左右首振り手段と、前記モータホルダーに上下方向へ回動自在に設けられたモータ部と、前記モータ部を上下方向に回動させる上下首振り手段と、前記モータ部から前面側へ伸びた駆動軸に固定された羽根部と、前記モータ部に固定された制御部と、前記制御部から前記左右首振り手段へ伸びる電線部とからなり、前記電線部は、前記制御部から前記モータ部が上下方向に回動する回動中心部の近傍を経由して前記左右首振り手段まで伸びることを特徴としたものであり、電線部の更なる耐久性を向上させることが出来るものである。
【００１０】
すなわち、電線部は、制御部からモータ部が上下方向に回動する回動中心部の近傍を経由して左右首振り手段まで伸びるので、上下首振りする際に、左右首振り手段と制御手段の位置関係は近くなったり遠くなったりするが、制御手段と回動中心部間との距離、回動中心部と左右首振り手段との距離は一定に保たれる。これにより、制御部から回動中心部の近傍を経由して左右首振り手段まで伸びる電線部は、長さ方向の変位量が少なくなり、上下首振りをする際に電線部へかかる応力が小さくなり、断線の恐れが少なくなる。結果として、電線部の耐久性を更に向上させることが出来るものである。
【図面の簡単な説明】
【００１１】
【図１】本発明の実施の形態１の扇風機の全体を示す図
【図２】同扇風機の支柱部の断面図
【図３】同扇風機の送風手段の断面図
【図４】同扇風機の送風手段の断面図
【図５】同扇風機のモータ部、左右首振り手段、上下首振り手段等を示す斜視図
【図６】同扇風機のモータ部、左右首振り手段、上下首振り手段等を示す斜視図
【図７】同扇風機のモータホルダーを示す斜視図
【図８】同扇風機のモータフロントプレートを示す斜視図
【図９】同扇風機のモータカバーとモータカバーロウ等を示す側面図
【図１０】同扇風機のモータカバーを示す斜視図
【図１１】同扇風機のモータカバーを示す斜視図
【図１２】同扇風機のモータカバーとモータカバーを下方から見た斜視図
【図１３】同扇風機のモータカバーとモータカバーロウを下から見た図
【図１４】同扇風機のモータカバー内と、電線部を示す斜視図
【図１５】同扇風機のモータカバー内と、電線部を示す斜視図
【発明を実施するための形態】
【００１２】
本発明の請求項１記載の扇風機は、基台と、前記基台から伸びた支柱部と、前記支柱部に左右方向に回動自在に設けられたモータホルダーと、前記モータホルダーを左右方向に回動させる左右首振り手段と、前記モータホルダーに上下方向へ回動自在に設けられたモータ部と、前記モータ部を上下方向に回動させる上下首振り手段と、前記モータ部から前面側へ伸びた駆動軸に固定された羽根部と、前記モータ部に固定された制御部と、前記制御部から前記左右首振り手段へ伸びる電線部とからなり、前記電線部は、前記制御部から前記モータ部が上下方向に回動する回動中心部の近傍を経由して前記左右首振り手段まで伸びるという構成を有する。
【００１３】
これにより、モータ部が上下方向へ首振りする際に、左右首振り手段と制御手段の位置関係は近くなったり遠くなったりするが、左右首振り手段と上下首振り回動中心部間の距離と、制御手段と上下首振り回動中心部間の距離は一定に保たれるため、上下首振り回動中心部近傍を通る左右首振り手段と制御手段をつなぐ電線部は、長さ方向の変位量が少なくなるので、モータ部が上下方向へ首振りする際に前記電線部へかかる応力が小さくなり、断線の恐れが少なくなるという効果を奏する。
【００１４】
また、前記制御手段から前記左右首振り回動手段へ伸びる前記電線部は、前記電線部が通る空間の壁面に沿うことができる長さを有するという構成にしてもよい。これにより、電線部が空間の壁面を沿うことで、固定手段を用いることなく電線部の移動を抑制できるため、電線部を固定することにより発生する応力を避けることができ、断線の恐れが少なくなるという効果を奏する。
【００１５】
また、前記制御手段から前記左右首振り回転手段へ伸びる前記電線部は、前記制御手段から出た直後は前記左右首振り手段の方向の逆方向へ向かい、前記左右首振り手段から前記制御手段へ伸びる電線部は、前記左右首振り手段から出た直後は前記制御手段の方向の逆方向へ向かうように延びることという構成にしてもよい。
【００１６】
これにより、電線部がつなぐ対象方向に向かって一直線に伸びず、遠回りをするように伸びることで、電線部の曲がりの径を大きく取ることができるようになるので、電線部の屈曲部への応力を減らすことができ、断線の恐れが少なくなるという効果を奏する。
【００１７】
また、前記モータホルダーは、水平面を有する平板形状のプレートと、前記プレートの左右辺部から上方へ伸びたＵ字体とを有し、前記Ｕ字体に前記モータ部が上下方向に回動する前記回動中心部を備え、前記左右首振り手段は、前記プレートの背面側上面に固定されたステッピングモータと、このステッピングモータによって回転するクランクと、このクランクに装着したリンクとを備え、前記電線部は、前記制御部の左右方向の一方側上部から前記モータ部に沿うように下方へ前記プレートの上面まで伸び、そこから前記プレートの上面に沿うように前記ステッピングモータまで伸びることという構成にしてもよい。
【００１８】
これにより、電線部はモータ部に沿うように伸びるために、上下首振り回動中心部近傍を沿うようになり、上下方向に回動する際の長さ方向の変位量が少なくなるので、モータ部が上下方向へ首振りする際に電線部へかかる応力が小さくなり、断線の恐れが少なくなるという効果を奏する。
【００１９】
また、前記電線部は、前記制御部の左右方向の一方側上部から前記モータ部であるモータに沿うように下方へ伸び、更に下方へ前記モータと前記プレートとの間を通り、前記プレートの左右方向の他方側の上面まで伸び、そこから前記プレートの左右方向の他方側の上面に沿うように前記ステッピングモータまで伸びるという構成にしてもよい。
【００２０】
これにより、電線部はモータとプレート部の間まで伸び、プレート部上面の左右方向他方側まで伸びるために、電線部の長さが長くなり、電線部の屈曲時の屈曲半径が大きくなり、長さ方向移動時の電線部の長さに対する移動量の割合が小さく抑えられるようになるので、電線部の屈曲部への応力を減らすことができ、断線の恐れが少なくなるという効果を奏する。
【００２１】
また、前記制御部は前記モータ部の背面側に固定され、前記電線部は、前記制御部から前面側の前記回動中心部の近傍へ押し当てるように伸びるという構成にしてもよい。
【００２２】
これにより、電線部を制御部から前面側の回動中心部の近傍へ押し当てるように伸びる構成とすることで、電線部が通る空間の中で十分なたるみが生まれ、そのたるみによって電線部はモータとプレート部の間に収まり、結束帯や固定用の切りかき部等を使用することなく、電線部の移動を抑制できるようになるので、電線部を固定することにより発生する応力を避けることができ、断線の恐れが少なくなるという効果を奏する。
【００２３】
以下、本発明の実施の形態について図面を参照しながら説明する。
【００２４】
（実施の形態１）
図１、図２に示すように、扇風機１は、基台２と、この基台２から伸びた支柱部３と、この支柱部３に設けられた送風手段と、左右首振り手段と、上下首振り手段とからなる。送風手段は、左右首振り手段の上方に位置し、上下首振り手段は、送風手段の背面側に位置している。上下首振り手段は、送風手段を上下方向に回動し、左右首振り手段は、上下首振り手段と送風手段とを左右方向に回動する。
【００２５】
基台２は、円板形状で、上面には中心を通る直径方向に、縦長四角形状の窪み部（図示せず）を備えている。この窪み部には、円形の開口である孔部（図示せず）を備えている。窪み部に、支柱部３の下部が装着可能である。
【００２６】
支柱部３は、中空の下支柱部４と中空の上支柱部５とからなる。上支柱部５が下支柱部４内に上から挿入され、上下移動機構１３（たとえばリーフスプリングなど）によって、上下方向へ移動自在に装着されている。この上下動によって、送風手段が上下することにより、送風方向が上下動できる。
【００２７】
下支柱部４は、窪み部に嵌る第一下支柱部６と、この第一下支柱部６の上部から上方へ伸びた第二下支柱部７とからなる。
【００２８】
第一下支柱部６は、蓋つき箱形状で、板形状の下支柱上蓋部８と、上方に開口した椀形状の下支柱下蓋部９とからなる。下支柱上蓋部８と下支柱下蓋部９とは、ねじにより固定できる。
【００２９】
下支柱上蓋部８の上面から第二下支柱部７が一体で形成され伸びている。第二下支柱部７は、上下方向が軸方向である四角筒形状で、この第二下支柱部７内と第一下支柱部６内とは連通している。
【００３０】
下支柱下蓋部９の下面には、下方へ突出した円柱形状の円柱部１０を備えている。この円柱部１０の周面にはネジが切られ、この部分が雄ねじとなる。
【００３１】
基台２の窪み部へ、第一下支柱部６を嵌め込むと、下支柱下蓋部９のねじ切りされた円柱部１０が基台２の孔部に挿入される。円柱部１０にナット１２で固定すると、このナット１２と第一下支柱部６とが基台２の窪み部を挟み込み固定される。
【００３２】
上支柱部５は、図２、図３、図４に示すように、上下方向が軸方向である四角筒形状で、上端には上方へ開口した椀形状の固定カバー１４を装着している。この固定カバー１４内には、軸方向が上下方向である円筒形状のネックピース１５を備えている。このネックピース１５には、後述する軸方向が上下方向である円柱形状の枢軸１６が回動自在に装着される。ネックピース１５には、ネックピース１５から径方向に伸びたリンク装着部１７を備えている。
【００３３】
送風手段は、図３、図５、図６に示すように、羽根部１８と、モータ部２２と、モータホルダー２３と、モータカバー２４とからなる。
【００３４】
羽根部１８は、軸流タイプの羽根１９と、この羽根１９の前面側を覆う羽根カバーであるフロントガード２０と、羽根１９の後側を覆うリアガード２１とからなる。フロントガード２０とリアガード２１とは嵌め込み式で連結する。羽根１９は、モータ部２２によって回転する。
【００３５】
モータ部２２は、モータホルダー２３に装着されている。
【００３６】
モータ部２２は、モータ２５と、モータカバーインナー２６と、モータフロントプレート２７とからなる。
【００３７】
モータ２５は、駆動軸２８を有し、この駆動軸２８は、扇風機１の前面側であるモータ２５の前面から、扇風機１の前面側へ水平に伸び、この先端に羽根１９が固定されている。
【００３８】
モータフロントプレート２７は、図８に示すように、中央にはモータ２５の駆動軸２８を挿入できる開口２９を備え、左右両端から後方へ伸びた回転支持部３０を備えている。モータフロントプレート２７は、モータカバーインナー２６の扇風機１の前面側に、ねじにより固定される。
【００３９】
モータホルダー２３は、図７に示すように、プレート３１と、枢軸１６と、Ｕ字体３２と、固定部３３とからなる。
【００４０】
プレート３１は、扇風機１における前後方向へ長い四角形状の金属の平板である。プレート３１の扇風機１における前側で下面には、下面から下方へ伸びた枢軸１６を有する。このプレート３１は、扇風機１における前側でプレート３１の長手辺の両端面から上方へ伸びた２枚のＵ字体３２と、扇風機１における後側でプレート３１の長手辺の一方側端面から上方へ伸びた固定部３３とを備えている。
【００４１】
モータホルダー２３は、図５、図６に示すように、Ｕ字体３２の先端の孔と、モータフロントプレート２７の回転支持部３０に設けた孔とを、軸支３４、軸支３５により回転可能に連結している。
【００４２】
モータカバー２４は、図９、図１０に示すように、横筒状で、下方と一側面が開口し、２分割された半割のモータカバーフロント３６とモータカバーリア３７をモータ部２２にネジ等で連結固定される。
【００４３】
左右首振り手段は、図５、図６に示すように、ステッピングモータ３８と、クランク３９と、リンク４０とを備えている。ステッピングモータ３８は、プレート３１に固定されている。ステッピングモータ３８の回転軸は、ステッピングモータ３８から下方へ伸び、この回転軸にクランク３９が装着されている。このクランク３９には、リンク４０の一端側が回動自在に装着され、リンク４０の他端側は、固定カバー１４のリンク装着部１７に回動自在に装着される。
【００４４】
上下首振り手段は、ステッピングモータ４１と、クランク４２と、リンク４３とを備えている。ステッピングモータ４１は、モータカバーインナー２６に固定され、ステッピングモータ４１の回転軸は、ステッピングモータ４１から扇風機１における一方側の側方に伸び、この回転軸にクランク４２が装着されている。このクランク４２には、リンク４３の一端側が回動自在にネジなどで固定する。リンク４３の他端側は、モータホルダー２３の固定部３３に回動自在に装着される。
【００４５】
モータカバー２４は、図１１に示すように、モータ部２２と、上下首振り手段とを内包し、下方の開口４４と一側面４５の開口４６がつながって連続して開口している。
【００４６】
モータカバーロウ４７は、図１２に示すように、上端と下端が開口し、２分割された半割の前モータカバーロウ４８と後モータカバーロウ４９をモータホルダー２３にネジ等で連結固定され、左右首振り手段とネックピース１５とを内包する。
【００４７】
モータ部２２と、羽根１９と、送風方向の左右方向の首振りを行う左右首振り手段と、送風方向の上下方向の首振りを行う上下首振り手段は、支柱部３の上端で支持されている。
【００４８】
図１１、図１２、図１３に示すように、モータカバーロウ４７の開口された上端５０がモータカバー２４の下方の開口４４内に入り、モータカバーロウ４７の上方とモータカバー２４の下方がオーバーラップし、モータカバー２４の上下方向の回動時にモータカバーロウ４７の外面５２と、モータカバー２４の下方の開口４４の下端５３の内面５４との間が所定の距離を持つ隙間Ｌ１を有して、モータカバー２４が回動する。
【００４９】
隙間Ｌ１として、指等の異物が入らない、または入りにくい程度の隙間、間隔、例えば１〜３ｍｍ程度で設けられている。
【００５０】
モータカバー２４は、横筒状で、下方の開口４４と一側面４５の開口４６がつながって連続して開口している。開口４６は、正面から見るとモータ２５より外方の円周上に複数設けられている。これにより、羽根１９が回転すると、隙間Ｌ１からモータカバー２４内へ一部の空気が吸い込まれ、一側面４５の開口４６を介して、羽根１９へ流れ込む気流が発生する。この気流によって、モータカバー２４内のモータ２５の温度上昇を低減できる。更に、この気流は、モータカバーロウ４７の外面に沿って、モータカバー２４内に入るので、モータカバー２４内面に沿うような流れとなり、モータ部２２を覆うように流れるので、モータ２５の温度上昇を効率よく低減できる。
【００５１】
モータカバーロウ４７およびモータカバー２４の羽根１９の反対側は、円弧形状５６で、この円弧形状５６の中心は上下首振り手段による送風方向の上下方向に往復回動させる回動中心である軸支３４、軸支３５と同心上に位置している。
【００５２】
図５、図６に示すように、前記構成において、ステッピングモータ３８によって、クランク３９が回転すると、枢軸１６と、リンク４０の長さと、クランク３９のネジ等で固定されたピッチの関係により一義的に定まる一定の角度範囲において、リンク４０によって、固定カバー１４内で、モータホルダー２３の枢軸１６を回転中心として、モータホルダー２３が回動し、送風手段と、上下首振り手段とを水平方向、すなわち左右方向に往復回動させる。なお、左右首振り手段によって、上支柱部５は上下動するが、首振り回動せず固定されており、左右首振り、すなわち水平首振り、上下首振り、すなわち垂直首振りの往復回動はしない。
【００５３】
ステッピングモータ４１によって、クランク４２が回転すると、固定部３３とリンク４３の長さと、クランク４２のネジ等で固定されたピッチの関係により一義的に定まる一定の角度範囲において、モータホルダー２３は、Ｕ字体３２の先端の孔と、モータフロントプレート２７の回転支持部３０に設けた孔とを回転可能に連結している軸支３４と、軸支３５とを回転中心として、モータホルダー２３が回動し、送風手段である、羽根部１８と、モータ部２２と、モータホルダー２３と、モータカバー２４とを垂直方向、すなわち上下方向に回動させる。
【００５４】
扇風機１における基本的な構成は、以上の通りである。本実施形態おける特徴は、図１４および図１５に示すように、モータ部２２に固定された制御部６６と、制御部６６から左右首振り手段へ伸びる電線部５７とからなり、電線部５７は、制御部６６からモータ部２２が上下方向に回動する回動中心部の近傍を経由して左右首振り手段まで伸びる点である。
【００５５】
具体的には、回動中心部は、軸支３４と軸支３５である。モータ部２２が上下方向に回動する際、モータ部２２を含む上下方向に回動する部分は、上下方向に回動をしないモータホルダー２３のＵ字体３２上部に開けられた開口部の中心、つまり軸支３４と軸支３５を軸として、上下方向に回動する。上下方向に回動するモータ部２２に固定された制御部６６と上下方向に回動しない左右首振り手段であるステッピングモータ３８を結ぶ電線部５７は、上下方向の回動中心となる軸支３４と軸支３５近傍を経由するように引き回される。
【００５６】
これにより、モータ部２２が上下方向へ首振りする際に、上下首振り手段と制御部６６の位置関係は近くなったり遠くなったりするが、上下首振り手段と上下首振り回動中心部間の距離と、制御部６６と上下首振り回動中心部間の距離は一定に保たれるため、上下首振り回動中心部近傍を通る上下首振り手段と制御部６６をつなぐ電線部５７は、長さ方向の変位量が少なくなるので、モータ部２２が上下方向へ首振りする際に電線部５７へかかる応力が小さくなり、断線の恐れが少なくなるという効果を奏する。
【００５７】
また、制御部６６から左右首振り回動手段へ伸びる電線部５７は、電線部５７が通る空間の壁面に沿うことができる長さを有するものである。
【００５８】
具体的には、電線部５７が通る空間の壁面は、モータカバーインナー２６とモータホルダー２３の間の空間、またはモータホルダー２３より上部の位置においては、モータカバーインナー２６とモータカバーフロント３６の間の空間の内壁である。電線部５７は、制御部６６から離れて、モータカバーインナー２６と、モータカバーフロント３６またはモータホルダー２３の間の空間の内壁に沿うように引き回される。
【００５９】
これにより、電線部５７が空間の壁面を沿うことで、固定手段を用いることなく電線部５７の移動を抑制できるため、電線部５７を固定することにより発生する応力を避けることができ、断線の恐れが少なくなるという効果を奏する。
【００６０】
また、制御部６６から左右首振り回転手段へ伸びる電線部５７は、制御部６６から出た直後は左右首振り手段の方向の逆方向へ向かい、左右首振り手段から制御部６６へ伸びる電線部５７は、左右首振り手段から出た直後は制御部６６の方向の逆方向へ向かうように延びるという構成にしてもよい。
【００６１】
これにより、電線部５７がつなぐ対象方向に向かって一直線に伸びず、遠回りをするように伸びることで、電線部５７の曲がりの径を大きく取ることができるようになるので、電線部５７の屈曲部への応力を減らすことができ、断線の恐れが少なくなるという効果を奏する。
【００６２】
また、モータホルダー２３は、水平面を有する平板形状のプレート３１と、プレート３１の左右辺部から上方へ伸びたＵ字体３２とを有し、Ｕ字体３２にモータ部２２が上下方向に回動する回動中心部を備えている。左右首振り手段は、プレート３１の背面側上面に固定されたステッピングモータ３８と、このステッピングモータ３８によって回転するクランク３９と、このクランク３９に装着したリンク４０とを備えている。電線部５７は、制御部６６の左右方向の一方側上部からモータ部２２に沿うように下方へプレート３１の上面まで伸び、そこからプレート３１の上面に沿うようにステッピングモータ３８まで伸びるという構成にしてもよい。
【００６３】
これにより、電線部５７はモータ部２２に沿うように伸びるために、上下首振り回動中心部近傍を沿うようになり、上下方向に回動する際の長さ方向の変位量が少なくなるので、モータ部２２が上下方向へ首振りする際に電線部５７へかかる応力が小さくなり、断線の恐れが少なくなるという効果を奏する。
【００６４】
また、電線部５７は、制御部６６の左右方向の一方側上部からモータ部２２であるモータ２５に沿うように下方へ伸び、更に下方へモータ２５とプレート３１との間を通り、プレート３１の左右方向の他方側の上面まで伸び、そこからプレート３１の左右方向の他方側の上面に沿うようにステッピングモータ３８まで伸びるという構成にしてもよい。
【００６５】
これにより、電線部５７はモータ２５とプレート３１の間まで伸び、プレート３１上面の左右方向他方側まで伸びるために、電線部５７の長さが長くなり、電線部５７の屈曲時の屈曲半径が大きくなり、長さ方向移動時の電線部５７の長さに対する移動量の割合が小さく抑えられるようになるので、電線部５７の屈曲部への応力を減らすことができ、断線の恐れが少なくなるという効果を奏する。
【００６６】
また、制御部６６は、モータ部２２の背面側に固定され、電線部５７は、制御部６６から前面側の回動中心部の近傍へ押し当てるように伸びるという構成にしてもよい。
【００６７】
具体的には、制御部６６はモータカバーインナー後部２６ａに取り付けられ、電線部５７は回動中心部の近傍を通るために、モータカバーインナー前部２６ｂに押し当てられるように伸びる構成である。
【００６８】
これにより、電線部５７を制御部６６から前面側の回動中心部の近傍へ押し当てるように伸びる構成とすることで、電線部５７が通る空間の中で十分なたるみが生まれ、そのたるみによって電線部５７はモータ２５とプレート３１の間に収まり、結束帯や固定用の切りかき部を使用することなく、電線部５７の移動を抑制できるようになるので、電線部５７を固定することにより発生する応力を避けることができ、断線の恐れが少なくなるという効果を奏する。
【００６９】
なお、本発明において電線部５７は、上下回動中心部近傍を通過しない場合に比べると移動量は小さいものの、モータ部２２の上下方向の回動に合わせて移動をする。そこで、電線部５７の移動量に対する十分な長さを確保するために、電線部固定部材６７と結束帯６８を用いて、結束帯６８から制御部６６までの長さを確保するようにした。
【産業上の利用可能性】
【００７０】
本発明にかかる扇風機は、基台と、前記基台から伸びた支柱部と、前記支柱部に左右方向に回動自在に設けられたモータホルダーと、前記モータホルダーを左右方向に回動させる左右首振り手段と、前記モータホルダーに上下方向へ回動自在に設けられたモータ部と、前記モータ部を上下方向に回動させる上下首振り手段と、前記モータ部から前面側へ伸びた駆動軸に固定された羽根部と、前記モータ部に固定された制御部と、前記制御部から前記左右首振り手段へ伸びる電線部とからなり、前記電線部は、前記制御部から前記モータ部が上下方向に回動する回動中心部の近傍を経由して前記左右首振り手段まで伸びることを特徴としたものであり、電線部の更なる耐久性を向上させることが出来るものである。
【００７１】
すなわち、電線部は、制御部からモータ部が上下方向に回動する回動中心部の近傍を経由して左右首振り手段まで伸びるので、上下首振りする際に、左右首振り手段と制御手段の位置関係は近くなったり遠くなったりするが、制御手段と回動中心部間との距離、回動中心部と左右首振り手段との距離は一定に保たれる。これにより、制御部から回動中心部の近傍を経由して左右首振り手段まで伸びる電線部は、長さ方向の変位量が少なくなり、上下首振りをする際に電線部へかかる応力が小さくなり、断線の恐れが少なくなる。結果として、電線部の耐久性を更に向上させることが出来るものである。
【００７２】
扇風機等に使用される上下首振り手段として有用である。
【符号の説明】
【００７３】
１    扇風機
２    基台
３    支柱部
４    下支柱部
５    上支柱部
６    第一下支柱部
７    第二下支柱部
８    下支柱上蓋部
９    下支柱下蓋部
１０    円柱部
１２    ナット
１３    上下移動機構
１４    固定カバー
１５    ネックピース
１６    枢軸
１７    リンク装着部
１８    羽根部
１９    羽根
２０    フロントガード
２１    リアガード
２２    モータ部
２３    モータホルダー
２４    モータカバー
２５    モータ
２６    モータカバーインナー
２６ａ  モータカバーインナー後部
２６ｂ  モータカバーインナー前部
２７    モータフロントプレート
２８    駆動軸
２９    開口
３０    回転支持部
３１    プレート
３２    Ｕ字体
３３    固定部
３４    軸支
３５    軸支
３６    モータカバーフロント
３７    モータカバーリア
３８    ステッピングモータ
３９    クランク
４０    リンク
４１    ステッピングモータ
４２    クランク
４３    リンク
４４    開口
４５    一側面
４６    開口
４７    モータカバーロウ
４８    前モータカバーロウ
４９    後モータカバーロウ
５０    上端
５２    外面
５３    下端
５４    内面
５６    円弧形状
５７    電線部
６６    制御部
６７    電線部固定部材
６８    結束帯
Ｌ１    隙間
【図１】
2015169123.tif 000003
【図２】
2015169123.tif 000004
【図３】
2015169123.tif 000005
【図４】
2015169123.tif 000006
【図５】
2015169123.tif 000007
【図６】
2015169123.tif 000008
【図７】
2015169123.tif 000009
【図８】
2015169123.tif 000010
【図９】
2015169123.tif 000011
【図１０】
2015169123.tif 000012
【図１１】
2015169123.tif 000013
【図１２】
2015169123.tif 000014
【図１３】
2015169123.tif 000015
【図１４】
2015169123.tif 000016
【図１５】
2015169123.tif 000017